(57)【要約】【課題】無線通信システムにおいてスケジューリング情報再送を起動させる方法及び装置を提供して、不必要なスケジューリング情報送信を防ぐ。【解決手段】方法は、第一ＡＲＱ（自動リピート要求）プロセスを実行し、ＳＩを含んだパケットの送信回数が最大送信回数より大きいかそれに等しく、かつＳＩを含んだパケットに対応する確認情報がユーザー端に届いていない場合に、第一ＡＲＱプロセスがＳＩ再送を起動するように指示するステップからなる。【選択図】図３
2007243956.tif 000002
【特許請求の範囲】
【請求項１】
無線通信システムのユーザー端においてスケジューリング情報（ＳＩ）を再送する方法であって、
第一ＡＲＱ（自動リピート要求）プロセスを実行し、
ＳＩを含んだパケットの送信回数が最大送信回数より大きいかそれに等しく、かつＳＩを含んだパケットに対応する確認情報がユーザー端に届いていない場合に、上記第一ＡＲＱプロセスがＳＩ再送を起動するように指示するステップからなることを特徴とするＳＩ再送方法。
【請求項２】
前記第一ＡＲＱプロセスはＨＡＲＱ（ハイブリッドＡＲＱ）プロセスであることを特徴とする請求項１記載の方法。
【請求項３】
前記最大送信回数はＨＡＲＱプロフィールに記録されることを特徴とする請求項１記載の方法。
【請求項４】
前記確認情報はＡＣＫユニットとＮＡＣＫユニットを含むことを特徴とする請求項１記載の方法。
【請求項５】
前記確認情報は、サービングセルを含んだＲＬＳ（無線リンクセット）から発せられることを特徴とする請求項１記載の方法。
【請求項６】
前記確認情報はＥ−ＨＩＣＨ（Ｅ−ＤＣＨ  ＨＡＲＱ確認指示チャンネル）を介して伝送されることを特徴とする請求項１記載の方法。
【請求項７】
前記第一ＡＲＱプロセスはスケジューリング情報報告機能で、第一ＡＲＱプロセスが伝送の決まったＳＩを出力できないことを通報し、これでＳＩ再送を起動するように求めることを特徴とする請求項１記載の方法。
【請求項８】
前記無線通信システムは第三世代移動通信システムに追加されるＨＳＵＰＡ（高速アップリンクパケットアクセス）システムであることを特徴とする請求項１記載の方法。
【請求項９】
ＳＩを適時に再送して無線資源を節約する、無線通信システムに用いられる通信装置であって、
通信装置の機能を実現させる制御回路と、
制御回路の中に設けられ、プログラムコードを実行して制御回路を制御する中央処理装置（ＣＰＵ）と、
制御回路の中でＣＰＵと結合されるように設けられ、プログラムコードを保存するための保存装置とを含み、そのうちプログラムコードは、
第一ＡＲＱプロセスを実行し、
ＳＩを含んだパケットの送信回数が最大送信回数より大きいかそれに等しく、かつＳＩを含んだパケットに対応する確認情報が制御回路に届いていない場合に、上記第一ＡＲＱプロセスがＳＩ再送を起動するように指示するステップを含むことを内容とすることを特徴とする通信装置。
【請求項１０】
前記第一ＡＲＱプロセスはＨＡＲＱ（ハイブリッドＡＲＱ）プロセスであることを特徴とする請求項９記載の通信装置。
【請求項１１】
前記最大送信回数はＨＡＲＱプロフィールに記録されることを特徴とする請求項９記載の通信装置。
【請求項１２】
前記確認情報はＡＣＫユニットとＮＡＣＫユニットを含むことを特徴とする請求項９記載の通信装置。
【請求項１３】
前記確認情報は、サービングセルを含んだＲＬＳ（無線リンクセット）から発せられることを特徴とする請求項９記載の通信装置。
【請求項１４】
前記確認情報はＥ−ＨＩＣＨ（Ｅ−ＤＣＨ  ＨＡＲＱ確認指示チャンネル）を介して伝送されることを特徴とする請求項９記載の通信装置。
【請求項１５】
前記第一ＡＲＱプロセスはスケジューリング情報報告機能で、第一ＡＲＱプロセスが伝送の決まったＳＩを出力できないことを通報し、これでＳＩ再送を起動するように求めることを特徴とする請求項９記載の通信装置。
【請求項１６】
前記無線通信システムは第三世代移動通信システムに追加されるＨＳＵＰＡ（高速アップリンクパケットアクセス）システムであることを特徴とする請求項９記載の通信装置。
【発明の詳細な説明】
【技術分野】
【０００１】
この発明は無線通信システムにおいてスケジューリング情報（ＳＩ）再送を起動させる方法及び装置に関し、特に不必要なＳＩ送信を防ぎ、無線資源の使用率を向上させる方法及び装置に関する。
【背景技術】
【０００２】
第三世代移動通信技術はＷＣＤＭＡ（広帯域符号分割多元接続）を利用し、高いスペクトル利用効率、カバー率、通話品質及び高速伝送を実現させるとともに、ＱｏＳ（サービス品質）の確保、柔軟性のある双方向通信の実現、通話中断率の低減を可能にする。第三世代移動通信システムにおいて、ユーザーはＵＥ（ユーザー装置、例えば携帯電話）を通して映像通話、電話会議、ゲーム、オンライン音楽再生、及び電子メールを楽しむことができる。もっとも、高速かつ実時間の情報伝送に頼るこれらの機能を実現させるため、従来は第三世代移動通信テクノロジーに関してＨＳＰＤＡ（高速ダウンリンクパケットアクセス）とＨＳＵＰＡ（高速アップリンクパケットアクセス）規格を定めている。両規格は、帯域の使用率とパケットの処理効率を向上させ、アップリングとダウンリンクの伝送速度を向上させる効果がある。
【０００３】
ＨＳＵＰＡ規格はシステムのアップリンクネットワーク機能を向上させ、誤送データの再送を加速して遅延を解消し、チャンネル品質の良否によって伝送速度を調節する機能を有する。このような機能を実現させるため、ＨＳＵＰＡ規格は基地局（ノードＢ）スケジューリング、ＨＡＲＱ（ハイブリッド自動リピート要求）、ソフトハンドオーバー、ショートフレーム伝送などの技術を採用し、ＨＳＵＰＡの動作制御に関しては３ＧＰＰ（第三世代パートナーシッププロジェクト）がＥ−ＤＣＨ（エンハンスド専用チャンネル）を規定している。Ｅ−ＤＣＨは、ＨＡＲＱ  ＡＣＫ／Ｎ確認情報、アップリンクスケジューリング情報、制御プレーン情報、及びユーザープレーン情報を伝送する物理層チャンネルＥ−ＨＩＣＨ、Ｅ−ＲＧＣＨ、Ｅ−ＡＧＣＨ、Ｅ−ＤＰＣＣＨ、Ｅ−ＤＰＤＣＨを新たに導入しており、その詳しい定義については３ＧＰＰのＭＡＣプロトコル規格3GPP  TS  25.321  V6.7.0を参照する。同じ規格書の中でも、ＭＡＣ−ｅ／ｅｓの動作方法が詳しく規定されている。なお、ユーザー端のＨＡＲＱプロセスにおけるスケジューリング情報（ＳＩ）の再送（11.8.1.1.2）については、ＳＩの紛失防止を趣旨とする修正請求RP-060194が提出されている（http://www.3gpp.org/ftp/tsg_ran/tsg_ran/TSGR_31/Docs/RP-060194.zip参照）。
【０００４】
上記修正請求RP-060194によれば、ユーザー端のＨＡＲＱプロセスは、伝送を起動させようとするたびに状態変数CURRENT_TX_NBに１を足す。状態変数CURRENT_TX_NBはＨＡＲＱバッファーのＭＡＣ−ｅ  ＰＤＵの送信回数を示す。状態変数CURRENT_TX_NBがＨＡＲＱプロフィールで示される最大送信回数より大きいかそれに等しいとき、ＳＩの含まれた伝送が起動されたが、ユーザー端がサービングセルを含んだＲＬＳ（無線リンクセット）からＡＣＫ信号を受信できない場合では、ユーザー端のＨＡＲＱプロセスはスケジューリング情報報告機能を実行し、伝送が決まったＳＩをＲＬＳに出力できないことを通報する。
【０００５】
ＳＩの含まれたパケットの送信回数が最大送信回数に達し、最終回の送信を受けた後でも受信端が最後のパケットを復号できない場合、上記修正請求RP-060194によると、ＨＡＲＱプロセスはスケジューリング情報報告機能を実行し、伝送が決まったＳＩをサービングセルを含んだＲＬＳに出力して、新たなＳＩ送信を起動させることができないことを通報する。言い換えれば、パケットの最終送信に対応するＡＣＫ信号がユーザー端に届いたかどうか関係なく、ＳＩを含んだパケットの送信回数が最大値になると、新たなＳＩ送信がすぐ始まる。すると、パケット伝送とＡＣＫ信号受信の間に時間上の遅延が発生し、不必要なＳＩ送信にシステム資源を費やすことは避けられない。
【発明の開示】
【発明が解決しようとする課題】
【０００６】
この発明は不必要なスケジューリング情報送信を防ぐため、無線通信システムにおいてスケジューリング情報再送を起動させる方法及び装置を提供することを課題とする。
【課題を解決するための手段】
【０００７】
この発明は、無線通信システムのユーザー端においてスケジューリング情報（ＳＩ）を再送する方法を提供する。該方法は、第一ＡＲＱ（自動リピート要求）プロセスを実行し、ＳＩを含んだパケットの送信回数が最大送信回数より大きいかそれに等しく、かつＳＩを含んだパケットに対応する確認情報がユーザー端に届いていない場合に、上記第一ＡＲＱプロセスがＳＩ再送を起動するように指示するステップからなる。
【０００８】
この発明は更に、ＳＩを適時に再送して無線資源を節約する、無線通信システムに用いられる通信装置を提供する。該通信装置は、通信装置の機能を実現させる制御回路と、制御回路の中に設けられ、プログラムコードを実行して制御回路を制御する中央処理装置（ＣＰＵ）と、制御回路の中でＣＰＵと結合されるように設けられ、プログラムコードを保存するための保存装置とを含む。そのうちプログラムコードは、第一ＡＲＱプロセスを実行し、ＳＩを含んだパケットの送信回数が最大送信回数より大きいかそれに等しく、かつＳＩを含んだパケットに対応する確認情報が制御回路に届いていない場合に、上記第一ＡＲＱプロセスがＳＩ再送を起動するように指示するステップを含む。
【発明の効果】
【０００９】
本発明によるＨＡＲＱプロセスでは、ユーザー端はＳＩを含んだパケットの最終送信に対応するＡＣＫ信号を受けていない場合にのみ、新たなＳＩ送信を起動させるため、不必要なＳＩ送信を防止し、無線資源の使用率を向上させる効果がある。
【発明を実施するための最良の形態】
【００１０】
かかる方法及び装置の特徴を詳述するために、具体的な実施例を挙げ、図示を参照して以下に説明する。
【００１１】
図１を参照する。図１は無線通信システムの無線通信装置１００のブロック図である。説明を簡素化するため、図１は無線通信装置１００の入力装置１０２、出力装置１０４、制御回路１０６、ＣＰＵ（中央処理装置）１０８、保存装置１１０、プログラムコード１１２及びトランシーバー１１４のみ描くとする。無線通信装置１００において、制御回路１０６はＣＰＵ１０８で保存装置１１０に保存されるプログラムコード１１２を実行し、無線通信装置１００の動作を制御する。制御回路１０６は入力装置１０２（例えばキーボード）を介してユーザーが入力した信号を受信し、出力装置１０４（スクリーン、スピーカーなど）を介して映像、音声などの信号を出力する。無線信号を受発信するトランシーバー１１４は受信した信号を制御回路１０６に送信し、または制御回路１０６による信号を無線で出力する。言い換えれば、通信プロトコルの構造から見れば、トランシーバー１１４は第一層の一部とみなされ、制御回路１０６は第二層と第三層の機能を実現させる。無線通信装置１００は望ましくは、第三世代移動通信システムに含まれる。
【００１２】
図２を参照する。図２は図１に示すプログラムコード１１２を表す説明図である。アプリケーション層２００と、第三層インターフェイス２０２と、第二層インターフェイス２０６からなるプログラムコード１１２は、第一層インターフェイス２１８と接続されている。第二層インターフェイス２０６はＲＬＣ（無線リンク制御）エンティティー２２４とＭＡＣ（媒体アクセス制御）エンティティー２２６を含む。ＲＬＣエンティティー２２４は伝送品質によって伝送データや制御指令に対して、分割、再組み立て、連結、パディング、再送、暗号化、シーケンスチェック、重複検出など処理を行う。ＭＡＣエンティティー２２６は第三層インターフェイス（ＲＲＣ層、無線資源制御層）２０２の無線資源配分指令に従って、ＲＬＣエンティティー２２４から別々の論理チャンネルに属するパケットを一般、共通または専用チャンネルに対応させ、チャンネルマッピング、マルチプレクシング、伝送形式選択、ランダムアクセス制御などのプロセスを実行する。
【００１３】
ＨＳＵＰＡ規格準拠のシステムでは、ＭＡＣエンティティー２２６はＨＡＲＱプロセスを実行し、伝送状態によってスケジューリング情報（ＳＩ）を再送する。それに鑑みて本発明は、ＨＡＲＱプロセスでＳＩ再送を適時に起動させ、無線資源を節約して不必要な伝送を減少するＳＩ再送プログラムコード２２０を提供する。図３を参照する。図３は本発明による方法３０のフローチャートである。下記方法は無線通信システムのユーザー端におけるＳＩ再送に利用される。
ステップ３００：開始。
ステップ３０２：ＨＡＲＱプロセスを実行する。
ステップ３０４：ＳＩを含んだパケットの送信回数（状態変数CURRENT_TX_NB）が最大送信回数より大きいかそれに等しく、かつＳＩを含んだパケットに対応する確認情報がユーザー端に届いていない場合に、ＨＡＲＱプロセスはＳＩ再送を起動するように指示する。
ステップ３０６：終了。
上記のとおり、ＨＡＲＱプロセスの起動後、ＳＩを含んだパケットの送信回数が最大送信回数より大きいかそれに等しい場合、ＳＩを含んだパケットに対応する確認情報が未だにユーザー端に届いていないとき、ＨＡＲＱプロセスはＳＩ再送を起動するように指示する。すなわち、状態変数CURRENT_TX_NBがＨＡＲＱプロフィールで示される最大送信回数より大きいかそれに等しく、かつユーザー端がサービングセルを含んだＲＬＳからＥ−ＨＩＣＨ（Ｅ−ＤＣＨ  ＨＡＲＱ確認指示チャンネル）を介してＡＣＫやＮＡＣＫ信号を受信していない場合に、ＨＡＲＱプロセスはスケジューリング情報報告機能で、伝送が決まったＳＩをＲＬＳ（サービングセルを含む）に出力できないことを通報し、新たなＳＩを送信するように指示する。
【００１４】
したがって、ＨＡＲＱプロセスは、ユーザー端がＳＩを含んだパケットの最終送信に対応するＡＣＫ信号を受けていない場合にのみ新たなＳＩ送信を起動させる。そうすれば、不必要なＳＩ送信は防止され、無線資源の使用率は向上する。
【００１５】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１６】
この発明は従来の動作条件を変えたのみであり、当然実施可能である。
【図面の簡単な説明】
【００１７】
【図１】無線通信システムの無線通信装置のブロック図である。
【図２】図１に示すプログラムコードを表す説明図である。
【図３】この発明による方法のフローチャートである。
【符号の説明】
【００１８】
１００    無線通信装置
１０２    入力装置
１０４    出力装置
１０６    制御回路
１０８    ＣＰＵ
１１０    保存装置
１１２    プログラムコード
１１４    トランシーバー
２００    アプリケーション層
２０２    第三層インターフェイス
２０６    第二層インターフェイス
２１２    バッファー
２１８    第一層インターフェイス
【図１】
2007243956.tif 000003
【図２】
2007243956.tif 000004
【図３】
2007243956.tif 000005